(57)【特許請求の範囲】
【請求項１】
液晶層を挟持して対向配置され、前記液晶層側表面に、少なくとも所定のパターンの導電部と、所定の方向にラビングされた配向膜とを具備する一対の基板がシール材を介して貼着されてなる液晶装置であって、
前記一対の基板のうち少なくとも一方の基板の表面において、前記シール材より内側の領域に、前記導電部に接続された引き回し配線が設けられ、
前記引き回し配線の延在方向は、前記引き回し配線の配線パターンによって、１本の引き回し配線に対して単数あるいは複数存在し、
前記シール材より内側に位置する前記引き回し配線の前記単数あるいは複数の延在方向と前記配向膜のラビング方向とのなす角が０〜±２５度、あるいは±７５〜±９０度とされたことを特徴とする液晶装置。
【請求項２】
前記一対の基板の表面に形成された前記導電部がそれぞれ信号電極と走査電極であるとともに、
前記一対の基板のうち、少なくとも信号電極が形成された側の基板の表面において、前記シール材より内側に位置する前記引き回し配線の前記単数あるいは複数の延在方向と前記配向膜のラビング方向とのなす角が０〜±２５度、あるいは±７５〜±９０度とされたことを特徴とする請求項１に記載の液晶装置。
【請求項３】
請求項１または請求項２に記載された液晶装置を備えたことを特徴とする電子機器。
【発明の詳細な説明】
【０００１】
【発明の属する技術分野】
本発明は、液晶装置及び電子機器に関し、特に、異常点灯を防止することができる液晶装置に関するものである。
【０００２】
【従来の技術】
図９に基づいて、パッシブマトリクス型の液晶表示装置を例として、従来の液晶装置の構造について説明する。図９は、従来の液晶表示装置１００を上側基板側から見たときの概略平面図である。
【０００３】
図９に示すように、ガラスからなる下側基板１０１と上側基板１０２とがシール材１０４を介して所定間隔で貼着され、シール材１０４の内側には液晶層１０３が封入されている。シール材１０４は、図９に示すように、下側基板１０１、上側基板１０２の周縁部間に略環状に形成されていて、その一部には液晶を注入するための液晶注入孔１０７が形成されている。液晶注入孔１０７から下側基板１０１、上側基板１０２間（液晶セル内）に液晶を注入した後、液晶注入孔１０７は封止材１０８により封止されている。
【０００４】
下側基板１０１、上側基板１０２の液晶層１０３側表面上には、各々信号電極１０５、走査電極１０６がストライプ状に形成されており、各信号電極１０５と各走査電極１０６とは互いに交差するように形成されている。なお、液晶表示装置１００においては、下側基板１０１表面の電極を信号電極、上側基板１０２表面の電極を走査電極としているが、これは逆であっても構わない。
【０００５】
また、図面上は省略しているが、信号電極１０５、走査電極１０６の液晶層１０３側表面上には配向膜が形成されている。配向膜はポリイミドなどの配向性高分子からなり、電界を印加しないときの液晶層１０３の配向状態に合わせて、その表面は布などを用いて所定の方向にラビングされている。
【０００６】
上記構造を有する液晶表示装置１００では、信号電極１０５、走査電極１０６が交差する部分が画素となっており、液晶を各画素毎に外部から駆動する方式が採用されている。
【０００７】
液晶表示装置１００において、下側基板１０１は図示下端部が上側基板１０２より外側に位置し、この部分に信号電極１０５に対して信号を供給する駆動用回路１０９が搭載されている。また、上側基板１０２の図示右端部が下側基板１０１より外側に位置しており、この部分に走査電極１０６に信号を供給する駆動用回路１１０が搭載されている。信号電極１０５、走査電極１０６は、それぞれ同じ基板の表面に形成された駆動用回路１０９、１１０に図示は省略している引き回し配線を介して電気的に接続されている。
【０００８】
以下に、信号電極１０５、走査電極１０６と駆動用回路１０９、１１０とをそれぞれ電気的に接続する引き回し配線のパターンについて説明する。信号電極１０５に接続される引き回し配線のパターンと、走査電極１０６に接続される引き回し配線のパターンとは同様であるので、例として、信号電極１０５に接続される引き回し配線のパターンについて説明する。
【０００９】
近年、液晶表示装置１００の狭額縁化（非表示領域の縮小化）に伴って、駆動用回路１０９の面積は縮小化されている。そのため、図９に示すように、駆動用回路１０９の幅１０９Ｗは、駆動用回路１０９に電気的に接続される信号電極１０５の形成幅１０５Ｗよりも小さいものになっているため、信号電極１０５は、その形成箇所によって、駆動用回路１０９までの距離が異なっている。（なお、本明細書において、電極の形成幅とは両端の電極間距離と定義する。）
【００１０】
したがって、信号電極１０５と駆動用回路１０９とを接続する引き回し配線を各々ほぼ最短距離で配設した場合には、各引き回し配線の長さが異なることになる。このように引き回し配線の長さが均一化されていない場合には、各引き回し配線の抵抗が異なり、その結果、信号電極１０５への信号の伝達スピードにばらつきが生じるため、表示ムラが生じる恐れがある。そこで、駆動用回路１０９に接続されるすべての引き回し配線の長さを均一化することが望ましい。
【００１１】
図１０に、下側基板１０１上に形成された引き回し配線のパターンの一例を示す。図１０は図９の液晶表示装置１００の下側基板１０１の表面において、引き回し配線が形成された領域（以下、「引き回し配線領域」と称する。）の近傍を示す図であり、図１０において、図９と同じ構成要素には同じ参照符号を付している。ただし、図１０と図９とは異なる縮尺で示している。また、図１０において、引き回し配線を符号２０５で示している。
【００１２】
図１０に示すように、信号電極１０５と駆動用回路１０９との距離が最も長い両端の信号電極１０５に接続される両端の引き回し配線２０５については最短距離で信号電極２０５と駆動用回路１０９とを直線状に接続させている。これに対して、両端の引き回し配線２０５以外のすべての引き回し配線２０５については、その長さが両端の引き回し配線２０５の長さとほぼ等しくなるように、直線状にあるいはく字状に折り曲げて所定のパターンで配設している。このような配線構造を採用することにより、すべての引き回し配線２０５の長さを均一化することができるので、液晶表示装置１００の表示ムラを防止することができる。
【００１３】
【発明が解決しようとする課題】
しかしながら、上述したように、すべての引き回し配線の長さを均一化した場合には、すべての引き回し配線をほぼ最短距離で配設する場合に比較して、引き回し配線の長さが全体的に長くなるため、引き回し配線の配線間隔が狭くなる。そのため、隣接する引き回し配線間に横電界が発生する場合があり、隣接する引き回し配線間に横電界が発生した場合には、発生した横電界が液晶分子に影響を与え、引き回し配線領域内において異常点灯が生じることがある。この問題は、特に、電極及び引き回し配線の数が多い高精細な液晶表示装置において顕著となっている。
【００１４】
引き回し配線が配設されるのは非表示領域であるが、表示領域外であっても異常点灯が生じた場合には、表示領域内に影響を与える恐れがある。例えば、表示領域外で点灯してはいけない箇所が点灯した場合、その近くの表示領域まで白く表示されることがある。
【００１５】
以上の問題は、引き回し配線の長さを均一化した場合において顕著な問題であるが、いかなるパターンの引き回し配線を具備する液晶装置においても生じる問題である。
【００１６】
また、上記の問題は、２枚の基板上にそれぞれ駆動用回路を実装する液晶装置に限った問題ではなく、一方の基板にのみ駆動用回路を実装し、駆動用回路が設けられていない基板の電極についても、一方の基板に設けられた駆動用回路によって駆動するいわゆる上下導通型の液晶装置においても生じる問題である。
【００１７】
また、上記の問題は、パッシブマトリクス型の液晶表示装置に限った問題ではなく、ＴＦＤ（Thin-Film Diode）素子に代表される２端子型素子やＴＦＴ（Thin-Film Transistor）素子に代表される３端子型素子を用いるアクティブマトリクス型の液晶装置など、いかなる構造の液晶装置においても生じる問題である。
【００１８】
そこで、本発明は上記問題点に鑑みてなされたもので、引き回し配線領域内における異常点灯を防止することができ、表示品質の優れた液晶装置及びこの液晶装置を備えた電子機器を提供することを目的とする。
【００１９】
【課題を解決するための手段】
本発明者は上記課題を解決するべく種々検討を行った結果、（１）引き回し配線の延在方向と配向膜のラビング方向とのなす角がある範囲内である場合に、液晶分子が隣接する引き回し配線間に生じた横電界の影響を受けて、引き回し配線領域内において異常点灯が発生すること、（２）パッシブマトリクス型の液晶装置においては特に信号電極側の基板において異常点灯が生じることを見出し、これらの点に着目して本発明を完成した。
【００２０】
本発明の液晶装置は、液晶層を挟持して対向配置され、前記液晶層側表面に、少なくとも所定のパターンの導電部と、所定の方向にラビングされた配向膜とを具備する一対の基板がシール材を介して貼着されてなる液晶装置であって、前記一対の基板のうち少なくとも一方の基板の表面において、前記シール材より内側の領域に、前記導電部に接続された引き回し配線が設けられ、前記シール材より内側に位置する前記引き回し配線の延在方向と前記配向膜のラビング方向とのなす角が０〜±２５度、あるいは±７５〜±９０度とされたことを特徴とする。
【００２１】
本発明者は、このように少なくとも一方の基板の表面において、シール材より内側に位置する引き回し配線の延在方向と配向膜のラビング方向とのなす角を０〜±２５度、あるいは±７５〜±９０度に設定することにより、引き回し配線領域内における異常点灯を防止することができ、表示品質の優れた液晶装置を提供することができることを見出した。
【００２２】
なお、引き回し配線の延在方向は引き回し配線の配線パターンによって、１本の引き回し配線に対して単数あるいは複数存在する。例えば、引き回し配線をくの字状に折り曲げて配設した場合、折り曲げた部分を境に引き回し配線の延在方向は２種類存在する。さらに、引き回し配線ごとにそのパターンは異なるので、一方の基板の表面において、導電部に電気的に接続される引き回し配線の延在方向は複数存在する。
【００２３】
したがって、本発明の液晶装置において、「基板の表面において、シール材より内側に位置する引き回し配線の延在方向と配向膜のラビング方向とのなす角を０〜±２５度、あるいは±７５〜±９０度に設定する」とは、より詳細には、「基板の表面において、引き回し配線の延在方向は複数存在するが、いずれの延在方向についてもシール材より内側に位置するものについては、配向膜のラビング方向とのなす角を０〜±２５度、あるいは±７５〜±９０度に設定する」ことを意味している。
【００２４】
また、本発明の液晶装置において、「導電部」とは、具体的にはパッシブマトリクス型の液晶装置における走査電極、信号電極等の電極、もしくはアクティブマトリクス型の液晶装置における走査線、データ線等の配線のことを指す。
なお、少なくとも一方の基板の表面において、シール材より内側に位置する引き回し配線の延在方向と配向膜のラビング方向とのなす角を０〜±２５度、あるいは±７５〜±９０度に設定することにより、引き回し配線領域内における異常点灯を防止することができる理由については実施例において詳細に説明する。
【００２５】
また、本発明者の研究により、パッシブマトリクス型の液晶装置においては、特に信号電極側で異常点灯が発生しやすいことが判明したため、一対の基板の表面に形成された導電部がそれぞれ信号電極と走査電極であるであるパッシブマトリクス型の液晶装置においては、一対の基板のうち、少なくとも信号電極が形成された側の基板の表面において、シール材より内側に位置する引き回し配線の延在方向と配向膜のラビング方向とのなす角を０〜±２５度、あるいは±７５〜±９０度に設定することが望ましい。
【００２６】
なお、パッシブマトリクス型の液晶装置において走査電極側よりも信号電極側の基板で異常点灯が発生しやすい理由としては、走査電極に印加する電圧は一定であるのに対し、信号電極に印加する電圧は所定の波形を有するものであるため、この波形によって隣接する引き回し配線間に生じる横電界が乱れ、液晶分子に影響を与えるためと考えられる。
【００２７】
また、以上の本発明の液晶装置を備えることにより、異常点灯を防止することができ、表示品質の優れた電子機器を提供することができる。
【００２８】
【発明の実施の形態】
次に、本発明に係る実施形態について詳細に説明する。
［第１実施形態］
図１〜図３に基づいて、パッシブマトリクス型の反射型カラー液晶表示装置を例として、本発明に係る第１実施形態の液晶装置の構造について説明する。図１は、本実施形態の液晶表示装置１０を上側基板側から見たときの概略平面図、図２は、液晶表示装置１０を図１のＡ−Ａ'線に沿って切断したときの概略断面図、図３は、引き回し配線の配線パターンの一例を示す概略平面図である。本実施形態の液晶表示装置１０において、引き回し配線の配線パターンと配向膜のラビング方向との関係が特徴的なものとなっている。
【００２９】
はじめに、図１に基づいて、液晶表示装置１０の平面構造の概略について簡単に説明する。
【００３０】
図１に示すように、ガラス等からなる下側基板１１と上側基板１２とがシール材１４を介して所定間隔で貼着され、シール材１４の内側には液晶層１３が封入されている。シール材１４は、図１に示すように、下側基板１１、上側基板１２の周縁部間に略環状に形成されていて、その一部には液晶を注入するための液晶注入孔２２が形成されている。液晶注入孔２２から下側基板１１、上側基板１２間（液晶セル内）に液晶を注入した後、液晶注入孔２２は封止材２３により封止されている。
【００３１】
下側基板１１、上側基板１２の液晶層１３側表面上には、各々複数のインジウム錫酸化物などからなる信号電極（導電部）１８、走査電極（導電部）１９が形成されており、信号電極１８、走査電極１９間に所定の電圧を印加することにより、液晶の配向状態を変化させ、これを光学的に識別することにより、表示することが可能な構造になっている。
【００３２】
図１に示すように、信号電極１８、走査電極１９はいずれもストライプ状に形成されており、かつ、各信号電極１８と各走査電極１９とは互いに交差するように形成されている。なお、本実施形態においては、下側基板１１表面に形成された電極を信号電極とし、上側基板１２表面に形成された電極を走査電極としているが、これは逆であってもかまわない。
【００３３】
液晶表示装置１０において、信号電極１８、走査電極１９が交差する部分が画素となっており、液晶を各画素毎に外部から駆動する方式が採用されている。図１には例として、液晶を外部から駆動する手段として、各基板上の非表示領域を互いに対向する基板の外側に張り出させ、その領域に各基板の電極に対して信号を供給する駆動用回路をそれぞれ実装し、各駆動用回路と各透明電極とを引き回し配線を用いて電気的に接続する構成を採用した場合について図示している。また、例として、駆動用回路の実装方法として、チップ部品をガラス基板上に実装する、いわゆるＣＯＧ（Chip On Glass）実装と呼ばれる実装方法を採用した場合について図示している。
【００３４】
すなわち、液晶表示装置１０においては、下側基板１１は図示下端部が上側基板１２より外側に位置し、この部分に信号電極１８に対して信号を供給する駆動用回路３１が直接搭載されている。また、上側基板１２の図示右端部が下側基板１１より外側に位置しており、この部分に走査電極１９に信号を供給する駆動用回路３２が直接搭載されている。信号電極１８、走査電極１９は、それぞれ同じ基板の表面に形成された駆動用回路３１、３２に図示は省略している引き回し配線を介して電気的に接続されている。なお、本実施形態における引き回し配線の配線パターンについては後述する。
【００３５】
次に、図２に基づいて、液晶表示装置１０の断面構造について説明する。
図２に示すように、下側基板１１の液晶層１３側表面上には、反射層１５、カラーフィルター１６、平坦化膜１７、信号電極１８、配向膜２０が順次積層形成されている。一方、上側基板１２の液晶層１３側表面上には走査電極１９と配向膜２１とが順次積層形成されている。また、液晶層１３内には液晶セルのセルギャップを均一化するために、二酸化珪素、ポリスチレン等からなる多数の球状のスペーサー２４が配置されている。また、上側基板１２の外側には偏光板、位相差板などの光学素子が設けられているが、図面上は省略している。
【００３６】
反射層１５は光を反射する銀やアルミニウムなどからなり、上側基板１２側（観察者側）から入射した太陽光などの外光が液晶層１３を透過し、反射層１５で反射されて、再び液晶層１３、上側基板１２を透過して外部に出射され、表示することが可能な構造になっている。
【００３７】
カラーフィルター１６は赤（Ｒ）、緑（Ｇ）、青（Ｂ）の着色層１６ａと隣接する着色層１６ａ間を遮光する遮光層（ブラックマトリクス）１６ｂとからなっている。液晶表示装置１０において、信号電極１８と走査電極１９とが交差する部分が画素になっており、各画素に対応して、赤、緑、青の着色層１６ａのうちいずれかの着色層が配置され、赤、緑、青を表示する３つの画素で１つの表示が可能になっている。平坦化膜１７は有機膜などからなり、カラーフィルター１６を形成した下側基板１１の表面を平坦化するために設けられている。
【００３８】
信号電極１８の一方の端部は、信号電極１８と同じ材料あるいは信号電極１８よりも低抵抗なニッケル、銅などからなる引き回し配線２８に電気的に接続されている。引き回し配線２８はシール材１４の外側にまで延出形成されており、信号電極１８は引き回し配線２８を介してシール材１４の外側に設けられた駆動用回路３１（図２においては省略）に電気的に接続されている。走査電極１９についても同様に、図示は省略しているが、引き回し配線を介してシール材１４の外側に設けられた駆動用回路３２に電気的に接続されている。
【００３９】
配向膜２０、２１は、ポリイミドなどの配向性高分子からなり、電界を印加しないときの液晶層１３の配向状態に合わせて、その表面は布などを用いて所定の方向にラビングされている。
【００４０】
ここで、本実施形態の液晶表示装置１０における引き回し配線のパターンについて説明する。信号電極１８に接続される引き回し配線２８と、走査電極１９に接続される引き回し配線のパターンは同様であるので、信号電極１８に接続される引き回し配線２８の配線パターンについて説明する。
【００４１】
液晶表示装置１０の狭額縁化（非表示領域の縮小化）を図るために、駆動用回路３１の面積は縮小化されており、図１に示すように、駆動用回路３１の幅３１Ｗは、駆動用回路３１に電気的に接続される信号電極１８の形成幅１８Ｗよりも小さいものになっている。そのため、信号電極１８は、その形成箇所によって、駆動用回路３１までの距離が異なっているが、すべての引き回し配線２８の抵抗を均一化し、液晶表示装置１０の表示ムラを防止するために、引き回し配線２８の長さを均一化することが望ましい。
【００４２】
図３に、下側基板１１上に形成された引き回し配線２８の長さを均一化した場合の、引き回し配線２８の配線パターンの一例を示す。図３は図１の液晶表示装置１０の下側基板１１の表面において、引き回し配線２８が形成された領域の近傍を示す図である。図３において、図１と同じ構成要素には同じ参照符号を付している。ただし、図１と図３とは異なる縮尺で示している。また、図３において、上側基板１２の輪郭を２点鎖線で示している。また、図示は省略しているが、図３において、シール材１４は上側基板１２の輪郭と信号電極１８の引き回し配線２８側の端部との間に位置している。
【００４３】
図３においては、例として、１７本の信号電極１８及び引き回し配線２８についてのみ図示しているが、実際には表示画素数に対応させて、数１０〜数１０００本の信号電極１８及び引き回し配線２８が形成される。
【００４４】
図３に示すように、信号電極１８と駆動用回路３１との距離が最も長い両端の信号電極１８に接続される両端の引き回し配線２８については最短距離で信号電極１８と駆動用回路３１とを直線状に接続させている。一方、両端の引き回し配線２８以外のすべての引き回し配線２８については、その長さが両端の引き回し配線２８の長さとほぼ等しくなるように、直線状にあるいはく字状に折り曲げて所定のパターンで配設している。このような配線構造を採用することにより、すべての引き回し配線２８の長さを均一化することができるので、液晶表示装置１０の表示ムラを防止することができる。
【００４５】
以下に、本実施形態の液晶表示装置１０における引き回し配線２８の延在方向について説明する。
【００４６】
引き回し配線２８の延在方向は引き回し配線２８の配線パターンによって、１本の引き回し配線２８に対して単数あるいは複数存在する。例えば、く字状に折り曲げられて配設された引き回し配線２８では折り曲げられた部分を境に引き回し配線２８の延在方向は２種類存在する。さらに、図３に示すように、引き回し配線２８ごとにその配線パターンは異なるので、下側基板１１の表面において、信号電極１８に電気的に接続される引き回し配線２８の延在方向は複数存在する。
【００４７】
図３に示す引き回し配線２８の配線パターンにおいては、引き回し配線２８の延在方向は合計３種類存在し、引き回し配線２８が形成された領域は、同じ延在方向を有する引き回し配線２８のみが存在する３つの引き回し配線領域４１、４２、４３に分割することができる。すなわち、引き回し配線領域４１、４２、４３において、同一引き回し配線領域に属する引き回し配線２８はすべて平行に配設されているが、異なる引き回し配線領域に属する引き回し配線２８は非平行になっている。
【００４８】
各引き回し配線領域４１、４２、４３における引き回し配線２８の延在方向を規定するために、信号電極１８の延在方向に対して垂直な直線を基準線とする。図３では、基準線として、信号電極１８の引き回し配線２８側の端部を通り、信号電極１８に対して垂直な直線Ｌを表示している。基準線Ｌと引き回し配線２８の延在方向とのなす角は、引き回し配線領域４１、４２、４３において、それぞれθ１、θ２、θ３となっている。なお、基準線Ｌと引き回し配線２８の延在方向とのなす角θ１、θ２、θ３は、基準線Ｌから時計回り方向をプラス、反時計回り方向をマイナスとする。したがって、図３においては基準線Ｌと引き回し配線２８の延在方向とのなす角θ１、θ２、θ３は、いずれもプラスの値となっている。
【００４９】
一方、下側基板１１表面に形成された配向膜２０のラビング方向Ｒは例えば図３に示すようになっており、配向膜２０のラビング方向Ｒと基準線Ｌとのなす角はφとなっている。基準線Ｌと配向膜２０のラビング方向Ｒとのなす角は、基準線Ｌと引き回し配線２８の延在方向とのなす角と同様、基準線Ｌから時計回り方向をプラス、反時計回り方向をマイナスとする。したがって、図３においては配向膜２０のラビング方向Ｒと基準線Ｌとのなす角φはマイナスの値となっている。
【００５０】
各引き回し配線領域４１、４２、４３において、引き回し配線２８の延在方向と配向膜２０のラビング方向Ｒとのなす角は、それぞれθ１−φ、θ２−φ、θ３−φとなっており、本実施形態において、いずれの引き回し配線領域４１、４２、４３においても引き回し配線２８の延在方向と配向膜２０のラビング方向Ｒとのなす角θ１−φ、θ２−φ、θ３−φは、０〜±２５度、あるいは±７５〜±９０度に設定されている。
【００５１】
なお、本実施形態においては、下側基板１１上において、すべての引き回し配線２８の延在方向と配向膜２０のラビング方向Ｒとのなす角θ１−φ、θ２−φ、θ３−φを０〜±２５度、あるいは±７５〜±９０度に設定する構成としたが、本発明はこれに限定されるものではなく、少なくともシール材１４（図３では図示略）より内側に位置する引き回し配線２８について上記のように規定されていればよい。
【００５２】
本実施形態において、上側基板１２側の引き回し配線の配線パターンは下側基板１１側の引き回し配線２８の配線パターンと同様であり、上側基板１２側についても走査電極１９に接続される引き回し配線のうち、少なくともシール材１４より内側に位置する引き回し配線の延在方向と上側基板１２表面の配向膜２１のラビング方向とのなす角が０〜±２５度、あるいは±７５〜±９０度に設定されている。
【００５３】
ただし、上側基板についてはこのように引き回し配線の延在方向と配向膜のラビング方向との関係を特に規定しなくてもよい。すなわち、少なくとも信号電極が設けられた側の下側基板の表面において、少なくともシール材より内側に位置する引き回し配線の延在方向と同じ基板表面に設けられた配向膜のラビング方向とのなす角を０〜±２５度、あるいは±７５〜±９０度に設定すればよい。
【００５４】
本実施形態によれば、このように、少なくとも信号電極が設けられた側の下側基板の表面において、少なくともシール材より内側に位置する引き回し配線の延在方向と同じ基板表面に設けられた配向膜のラビング方向とのなす角を０〜±２５度、あるいは±７５〜±９０度に設定することにより、引き回し配線領域内における異常放電を防止することができ、表示品質の優れた液晶表示装置を提供することができる。
【００５５】
以上、第１実施形態においては、２枚の基板上にそれぞれ駆動用回路を実装する液晶装置についてのみ説明したが、本発明はこれに限定されるものではなく、一方の基板にのみ駆動用回路を実装し、駆動用回路が設けられていない基板の電極についても、一方の基板に設けられた駆動用回路によって駆動するいわゆる上下導通型の液晶表示装置においても適用することができる。
【００５６】
次に、第２実施形態において、本発明を上下導通型の液晶装置に適用した例について説明する。
【００５７】
［第２実施形態］
図４、図５に基づいて、本発明に係る第２実施形態の液晶装置の構造について説明する。本実施形態の液晶装置は、第１実施形態のパッシブマトリクス型のカラー反射型液晶表示装置を上下導通型の液晶表示装置に適用した例である。したがって、本実施形態のカラー反射型液晶表示装置の断面構造は第１実施形態と同様であり、本実施形態の液晶表示装置が第１実施形態と大きく異なる点は、下側基板１１と上側基板１２表面に形成された引き回し配線の配線パターン及び駆動用回路の形成位置のみである。したがって、本実施形態の液晶表示装置において、第１実施形態と同じ構成要素については同じ参照符号を付し、説明を省略する。
【００５８】
図４は、本実施形態の液晶表示装置５０の下側基板を液晶層側から見たときの概略平面図、図５は、本実施形態の液晶表示装置５０の上側基板を液晶層側から見たときの概略平面図である。図４、図５において、同じ構成要素については同じ参照符号を付している。また、図４、図５において、符号５１が下側基板、符号５２が上側基板を示している。また、図４には２点鎖線でシール材１４を表示しているが、図５においてはシール材１４の表示を省略している。
【００５９】
第１実施形態においては、下側基板、上側基板の両方が対向する基板より外側に位置する部分を有し、この部分にそれぞれ駆動用回路が設けられたのに対し、本実施形態においては下側基板のみが対向する基板より外側に位置する部分を有しており、下側基板にのみ駆動用回路が設けられている。なお、本実施形態においても第１実施形態と同様に、下側基板側の電極を信号電極、上側基板側の電極を走査電極とするが、これは逆であっても構わない。
【００６０】
すなわち、図４、図５に示すように、下側基板５１の図示下端部が上側基板５２より外側に位置し、この部分に下側基板５１表面の信号電極１８に信号を提供するための駆動用回路６１と、上側基板５２表面の走査電極１９に信号を提供するための駆動用回路６２とが設けられている。
【００６１】
図４に示すように、下側基板５１表面において、信号電極１８は第１実施形態と同様に、引き回し配線２８を介して駆動用回路６１に電気的に接続されている。
【００６２】
一方、上側基板５２表面の走査電極１９の一方の端部は、引き回し配線２９Ａを介して、上側基板５２と下側基板５１との間に設けられた導通部材６３に電気的に接続されている。導通部材６３は図４に示すように、シール材１４の内部に形成されており、シール材１４の内部に導電性を有する粒子を埋設するなどして導通部材６３は形成されている。また、図４に示すように、下側基板５１表面において、導通部材６３は引き回し配線２９Ｂを介して駆動用回路６２に電気的に接続されている。
【００６３】
すなわち、上側基板５２表面の走査電極１９は、上側基板５２表面の引き回し配線２９Ａと、下側基板５１、上側基板５２間に設けられた導通部材６３と、下側基板５１表面の引き回し配線２９Ｂとを介して駆動用回路６２に電気的に接続されている。なお、図５に示すように、引き回し配線２９Ａは上側基板５２表面において、図示左側と右側の２箇所に形成されているため、これに対応して、導通部材６３、引き回し配線２９Ｂ、駆動用回路６２も２箇所に設けられている。
【００６４】
また、図５では、図示上半分の走査電極１９に接続される引き回し配線２９Ａを図示左側に配設し、図示下半分の走査電極１９に接続される引き回し配線２９Ａを図示右側に配設しているが、本発明はこれに限定されるものではなく、引き回し配線２９Ａを左側、右側、左側・・・と交互に配設したり、すべての引き回し配線２９Ａを片側にのみ配設してもよい。また、本実施形態においては導通部材６３をシール材１４の内部に設ける構成としたが、本発明はこれに限定されるものではなく、シール材１４と独立して導通部材６３を設ける構成としても良い。
【００６５】
本実施形態では、図４、図５に示すように、第１実施形態と異なり、引き回し配線２８あるいは２９Ａの長さ（抵抗）を均一化せずに、引き回し配線２８あるいは２９Ａを配設した場合について図示しているが、本発明はこれに限定されるものではなく、第１実施形態と同様に、引き回し配線２８あるいは２９Ａの長さ（抵抗）が均一化されるように、所定のパターンで配設しても良い。
【００６６】
本発明は、このような上下導通型の液晶表示装置にも適用することができ、少なくとも信号電極が設けられた下側基板の表面において、少なくともシール材より内側に位置する引き回し配線の延在方向と同じ基板表面に設けられた配向膜のラビング方向とのなす角を０〜±２５度、あるいは±７５〜±９０度に設定することにより、引き回し配線領域内における異常放電を防止することができ、表示品質の優れた液晶表示装置を提供することができる。
【００６７】
以上、第１、第２実施形態においては反射型カラー液晶表示装置についてのみ説明したが、本発明はこれに限定されるものではなく、白黒表示の液晶表示装置や透過型、反射半透過型の液晶装置にも適用することができる。また、本実施形態においてはパッシブマトリクス型の液晶表示装置についてのみ説明したが、本発明はこれに限定されるものではなく、ＴＦＤ（Thin-Film Diode）素子に代表される２端子型素子やＴＦＴ（Thin-Film Transistor）素子に代表される３端子型素子を用いるアクティブマトリクス型の液晶装置にも適用することができ、いかなる構造の液晶装置にも適用することができる。
【００６８】
［電子機器］
次に、上記第１、第２実施形態の液晶表示装置１０、５０を備えた電子機器の具体例について説明する。
【００６９】
図６（ａ）は携帯電話の一例を示した斜視図である。図６（ａ）において、３００は携帯電話本体を示し、３０１は上記の液晶表示装置１０、５０を備えた液晶表示部を示している。
【００７０】
図６（ｂ）はワープロ、パソコンなどの携帯型情報処理装置の一例を示した斜視図である。図６（ｂ）において、４００は情報処理装置、４０１はキーボードなどの入力部、４０３は情報処理本体、４０２は上記の液晶表示装置１０、５０を備えた液晶表示部を示している。
【００７１】
図６（ｃ）は腕時計型電子機器の一例を示した斜視図である。図６（ｃ）において、５００は時計本体を示し、５０１は上記の液晶表示装置１０、５０を備えた液晶表示部を示している。
【００７２】
図６（ａ）〜（ｃ）に示すそれぞれの電子機器は、上記の液晶表示装置１０、５０を備えたものであるので、表示品質が優れたものとなる。
【００７３】
【実施例】
次に、本発明に係る実施例について詳細に説明する。
【００７４】
（実施例１〜４、比較例１、２）
信号電極側の基板の引き回し配線の配線パターンと配向膜のラビング方向を変えて、それ以外の条件を同一条件としてパッシブマトリクス型の液晶パネルを製造した。第１実施形態において図３で示したように、引き回し配線領域を３つの引き回し配線領域に分割し、各引き回し配線領域における引き回し配線の延在方向と基準線とのなす角を変えて引き回し配線を形成した。
【００７５】
表１に実施例１〜４、比較例１、２の各引き回し配線領域における、基準線と引き回し配線の延在方向とのなす角（θ）、基準線と配向膜のラビング方向とのなす角（φ）、引き回し配線の延在方向と配向膜のラビング方向とのなす角（θ−φ）、及び各引き回し配線領域において異常点灯試験を行ったときの判定結果を示す。
【００７６】
なお、基準線、及び基準線と引き回し配線の延在方向とのなす角（θ）、基準線と配向膜のラビング方向とのなす角（φ）、引き回し配線の延在方向と配向膜のラビング方向とのなす角（θ−φ）については、第１実施形態と同様に規定したので説明は省略する。
【００７７】
また、表１において、引き回し配線の延在方向と配向膜のラビング方向とのなす角（θ−φ）が−９０度未満、あるいは９０度より大きくなった場合には、それぞれ、‘θ−φ＋１８０’、‘θ−φ−１８０’をθ−φとした。ただし、１８０を足す前、あるいは引く前のθ−φの生データを（）内に記載した。
【００７８】
また、図７に、実施例１〜４、比較例１、２において得られた引き回し配線の延在方向と配向膜のラビング方向とのなす角（θ−φ）と判定結果との関係を示す。なお、図７において、引き回し配線の延在方向と配向膜のラビング方向とのなす角（θ−φ）が−９０度〜９０度の範囲外であっても±９０度近傍の値（具体的には±９０〜±９５度の範囲内のデータ）については合わせて表示している。また、図７において、●印が生データを示している。
【００７９】
（異常点灯試験の内容及び試験結果の判定基準）
ここで、実施例１〜４、比較例１、２において行った異常点灯試験の内容及び試験結果の判定方法について説明する。
【００８０】
＜異常点灯試験の内容＞
実施例１〜４、比較例１、２において作成した各液晶パネルを実装し、電荷を加えて全面緑表示になるように点灯し、各引き回し配線領域の異常点灯を目視にて観察した。
【００８１】
＜判定基準＞
以下の判定基準に基づいて試験結果の判定を行った。なお、判定結果が３以上であった引き回し配線領域を異常点灯が防止され、表示品質の優れた領域と判断し、すべての引き回し配線領域において、判定結果が３以上であった液晶パネルを異常点灯が防止され、表示品質の優れたものであると判断した。
５：良好    目視にて異常点灯が全く観察されなかった。
４：良      目視にてうすく異常点灯が観察された。
３：可      目視にてわずかに異常点灯が観察された。
２：不可    目視にて異常点灯が観察された。
１：ＮＧ    目視にてはっきりと異常点灯が観察された。
【表１】
0003858589.tif 000002
【００８２】
（結果）
図７において、●印に示すように、引き回し配線の延在方向と配向膜のラビング方向とのなす角（θ−φ）と異常点灯との間には所定の関係があり、引き回し配線の延在方向と配向膜のラビング方向とのなす角（θ−φ）は絶対値が同じであれば同じ判定結果になることが判明した。
【００８３】
そこで、図７には、引き回し配線の延在方向と配向膜のラビング方向とのなす角（θ−φ）において、α度（ただし、−９０≦α≦９０）のデータがあって、−α度のデータがないものについては、−α度のところにα度と同じ判定結果を◇印でプロットした。
【００８４】
図７に示すように、引き回し配線の延在方向と配向膜のラビング方向とのなす角（θ−φ）が０度を含む所定の範囲内である場合、すなわち、引き回し配線の延在方向と配向膜のラビング方向とが略平行関係にある場合に判定が５となり、最も異常点灯が発生しにくく、一方、引き回し配線の延在方向と配向膜のラビング方向とのなす角（θ−φ）が±約４５度である場合に判定が１となり、最も異常点灯が発生しやすいことが判明した。
【００８５】
より詳細には、引き回し配線の延在方向と配向膜のラビング方向とのなす角（θ−φ）は０〜±約１７度の範囲内で判定結果が５となった。
【００８６】
また、引き回し配線の延在方向と配向膜のラビング方向とのなす角（θ−φ）が０〜±約４５度の範囲内では、引き回し配線の延在方向と配向膜のラビング方向とのなす角（θ−φ）が０〜±約１７度から外れるに従って、異常点灯が起こりやすくなり、引き回し配線の延在方向と配向膜のラビング方向とのなす角（θ−φ）が±約２５度、±約３０度、±約４５度において、それぞれ判定結果が３、２、１となった。なお、引き回し配線の延在方向と配向膜のラビング方向とのなす角（θ−φ）が±約２５度の判定結果については実際のデータはなく、図７のグラフから判断した。
【００８７】
また、引き回し配線の延在方向と配向膜のラビング方向とのなす角（θ−φ）が±約４５〜±約７５度の範囲内では、引き回し配線の延在方向と配向膜のラビング方向とのなす角（θ−φ）が±約４５度より外れ、±約７５度に近づくにつれて異常点灯の発生が抑制され、引き回し配線の延在方向と配向膜のラビング方向とのなす角（θ−φ）が±約４５度、±約６０度、±約７５において、それぞれ判定結果が１、２、３となった。
【００８８】
また、引き回し配線の延在方向と配向膜のラビング方向とのなす角（θ−φ）が±約７５〜±約９０度の範囲内では、判定結果に変化はなく、判定結果は３であった。なお、図７に示すように、引き回し配線の延在方向と配向膜のラビング方向とのなす角（θ−φ）が±約７５〜±約９０度の範囲内では、引き回し配線の延在方向と配向膜のラビング方向とのなす角（θ−φ）が０〜±約１７度の範囲内である場合よりは異常点灯がやや発生しやすいという結果になった。
【００８９】
図７に示す結果から、引き回し配線の延在方向と配向膜のラビング方向とのなす角（θ−φ）を０〜±２５度、あるいは±７５〜±９０度とすることによって、３以上の判定結果を得ることができ、製品として問題がない程度に異常点灯を防止することができることが判明した。
【００９０】
したがって、引き回し配線の延在方向と配向膜のラビング方向とのなす角（θ−φ）をすべて、０〜±２５度、あるいは±７５〜±９０度に設定した実施例１〜４では、すべての引き回し配線領域において異常点灯が防止され、表示品質の優れた液晶パネルが得られた。これに対して、一部の引き回し配線領域において、引き回し配線の延在方向と配向膜のラビング方向とのなす角（θ−φ）を±２５度より大きく±７５度未満に設定した比較例１、２では一部の引き回し配線領域で異常点灯が発生し、表示品質の優れた液晶パネルが得られなかった。
【００９１】
（考察）
ここで、引き回し配線の延在方向と配向膜のラビング方向とのなす角（θ−φ）が０〜±約１７度（すなわち、引き回し配線の延在方向と配向膜のラビング方向が略平行関係にあるとき）に異常点灯が最も起こりにくく、±約４５度のときに異常点灯が最も起こりやすく、±約７５〜±約９０度のとき（すなわち、引き回し配線の延在方向と配向膜のラビング方向が略垂直関係にあるとき）に異常点灯がやや起こりやすいという理由について考察する。
【００９２】
はじめに図８に基づいて、引き回し配線の延在方向と配向膜のラビング方向が略平行関係及び略垂直関係にある場合について説明する。図８において、符号７０は引き回し配線、符号８０は液晶分子、符号９０は横電界の電界方向を示している。
【００９３】
図８（ａ）は引き回し配線の延在方向と配向膜のラビング方向とが略平行関係にある場合を示す断面図、図８（ｂ）は引き回し配線の延在方向と配向膜のラビング方向とが略垂直関係にある場合を示す断面図である。なお、図８（ａ）、（ｂ）は引き回し配線の延在方向に対して垂直方向に切断したときの断面図を示している。また、図８（ａ）において、液晶分子は紙面に対して垂直方向に配向している様子を示している。また、いずれの場合においても、横電界は、隣接する引き回し配線の表面間に弧状に発生する。
【００９４】
図８（ａ）に示すように、引き回し配線の延在方向と配向膜のラビング方向とが略平行関係にある場合には、液晶分子８０は引き回し配線７０の延在方向に対して略平行方向（紙面に対して略垂直方向）に配向する。したがって、横電界の電界方向９０と、液晶分子８０の配向方向とは、約９０度ずれた面上に存在し、隣接する引き回し配線７０間に横電界が発生しても、液晶分子８０のチルト角は横電界の影響を受けにくいと考えられる。また、引き回し配線７０間に発生する横電界は微少であり、液晶分子８０を電界方向９０に沿うように、約９０度ツイストさせるまでには到らないと考えられる。
【００９５】
このように、引き回し配線の延在方向と配向膜のラビング方向とが略平行関係にある場合には、液晶分子のチルト角とツイスト角のいずれもが横電界の影響を受けにくいため、異常放電が発生しにくいと考えられる。
【００９６】
これに対して、図８（ｂ）に示すように、引き回し配線の延在方向と配向膜のラビング方向とが略垂直関係にある場合において、横電界の影響がないときには、液晶分子８０は引き回し配線７０の延在方向に対して略垂直方向（図示左右方向）に所定のチルト角をもって配向する。しかしながら、横電界の電界方向９０と、液晶分子８０の配向方向とがほぼ同一面上に存在するため、横電界が発生した箇所において、液晶分子８０は横電界の電界方向９０の影響を受けて、弧状の電界方向９０に沿ってチルト角が変化し、光学変化が発生すると考えられる。
【００９７】
このように、引き回し配線の延在方向と配向膜のラビング方向とが略垂直関係にある場合には、液晶分子のチルト角が横電界の影響を受けるため、異常放電がやや発生しやすいと考えられる。
【００９８】
次に、引き回し配線の延在方向と配向膜のラビング方向とのなす角が±約４５度である場合について説明する。引き回し配線の延在方向と配向膜のラビング方向とのなす角が±約４５度である場合には、横電界の電界方向と、液晶分子の配向方向とは、約４５度ずれた面上に存在し、横電界の液晶分子のチルト角への影響は、引き回し配線の延在方向と配向膜のラビング方向とが略垂直関係である場合と、略平行関係である場合の中間であり、液晶分子のチルト角は横電界の影響を受けて変化すると考えられる。また、隣接する引き回し配線間に発生する横電界は微少であるが、液晶分子を電界方向に沿うように、約４５度ツイストさせることができる程度と考えられる。
【００９９】
このように、引き回し配線の延在方向と配向膜のラビング方向とのなす角が±約４５度である場合においては、液晶分子のチルト角とツイスト角の両方が横電界の影響を受けて変化するため、最も異常点灯が発生しやすくなると考えられる。
【０１００】
【発明の効果】
以上説明したように本発明によれば、少なくとも一方の基板の表面において、シール材より内側に位置する引き回し配線の延在方向と配向膜のラビング方向とのなす角を０〜±２５度、あるいは±７５〜±９０度に設定することにより、異常点灯を防止することができ、表示品質の優れた液晶装置を提供することができる。
【０１０１】
また、パッシブマトリクス型の液晶装置においては特に信号電極側で異常点灯が発生しやすいため、少なくとも信号電極が形成された側の基板の表面において、シール材より内側に位置する引き回し配線の延在方向と配向膜のラビング方向とのなす角を０〜±２５度、あるいは±７５〜±９０度に設定することが望ましい。
【０１０２】
また、本発明の液晶装置を備えることにより、異常点灯を防止することができ、表示品質の優れた電子機器を提供することができる。
【図面の簡単な説明】
【図１】  図１は、本発明に係る第１実施形態の液晶表示装置の構造を示す概略平面図である。
【図２】  図２は、本発明に係る第１実施形態の液晶表示装置の構造を示す概略断面図である。
【図３】  図３は、本発明に係る第１実施形態の液晶表示装置において、引き回し配線の配線パターンの一例を示す図である。
【図４】  図４は、本発明に係る第２実施形態の液晶表示装置の下側基板の構造を示す概略平面図である。
【図５】  図５は、本発明に係る第２実施形態の液晶表示装置の上側基板の構造を示す概略平面図である。
【図６】  図６（ａ）は上記実施形態の液晶表示装置を備えた携帯電話の一例を示す図、図６（ｂ）は上記実施形態の液晶表示装置を備えた携帯型情報処理装置の一例を示す図、図６（ｃ）は上記実施形態の液晶表示装置を備えた腕時計型電子機器の一例を示す図である。
【図７】  図７は、本発明に係る実施例及び比較例において、引き回し配線の延在方向と配向膜のラビング方向とのなす角と判定結果との関係を示す図である。
【図８】  図８（ａ）、（ｂ）は、引き回し配線の延在方向と配向膜のラビング方向とのなす角が液晶分子に与える影響を考察するための図である。
【図９】  図９は、従来の液晶表示装置の構造を示す概略平面図である。
【図１０】  図１０は、従来の液晶表示装置において、引き回し配線の配線パターンの一例を示す概略平面図である。
【符号の説明】
１０、５０        反射型カラー液晶表示装置（液晶装置）
１１、５１        下側基板
１２、５２        上側基板
１３              液晶層
１４              シール材
１５              反射層
１６              カラーフィルター層
１６ａ            着色層
１６ｂ            遮光層（ブラックマトリクス）
１７              平坦化膜
１８              信号電極（導電部）
１９              走査電極（導電部）
２０、２１        配向膜
２２              液晶注入孔
２３              封止材
２４              スペーサー
２８              引き回し配線
２９Ａ、２９Ｂ    引き回し配線
３１、３２        駆動用回路
６１、６２        駆動用回路
６３              導通部材
４１、４２、４３  引き回し配線領域
Ｌ                基準線
θ１、θ２、θ３  基準線と引き回し配線の延在方向とのなす角
Ｒ                配向膜のラビング方向
φ                基準線と配向膜のラビング方向とのなす角
【図１】
0003858589.tif 000003
【図２】
0003858589.tif 000004
【図３】
0003858589.tif 000005
【図４】
0003858589.tif 000006
【図５】
0003858589.tif 000007
【図６】
0003858589.tif 000008
【図７】
0003858589.tif 000009
【図８】
0003858589.tif 000010
【図９】
0003858589.tif 000011
【図１０】
0003858589.tif 000012